(57)【要約】  ドーム型スピーカー（１００）は、ドーム型振動板（１０）と、ボイスコイル（１２）と、磁石とを有する。ドーム型スピーカーの音質を改善するために、前記磁石は円盤形磁石（１１）であり、前記ドーム型振動板（１０）は内部領域（１３）と外部領域（１４）とに分けられている。
2009536481.tif 000002
【特許請求の範囲】
【請求項１】
ドーム型振動板（１０）と、ボイスコイル（１２）と、磁石とを備えるドーム型スピーカー（１００）において、
前記磁石は円盤形磁石（１１）であり、
前記ドーム型振動板（１０）が内部領域（１３）と外部領域（１４）とに分けられている、
ことを特徴とするドーム型スピーカー。
【請求項２】
前記円盤形磁石（１１）はネオジム磁石である、
ことを特徴とする請求項１記載のドーム型スピーカー。
【請求項３】
前記ボイスコイル（１２）と前記円盤形磁石（１１）との間の空隙に磁性流体が流し込まれている、
ことを特徴とする請求項１または２記載のドーム型スピーカー。
【請求項４】
コイル支持ネック（１５）が設けられており、該コイル支持ネックに孔が空けられている、
ことを特徴とする請求項１から３のいずれか一項記載のドーム型スピーカー。
【請求項５】
前記外部領域（１４）にアタッチメントが設けられている、
ことを特徴とする請求項１から４のいずれか一項記載のドーム型スピーカー。
【請求項６】
前記ドーム型スピーカー（１００）に、音響的に調整された内部容積を形成するために、支持プレート（１８）および／またはキャップ（１９）および／または外部の成形部材（２０）が設けられている、
ことを特徴とする請求項１から５のいずれか一項記載のドーム型スピーカー。
【発明の詳細な説明】
【技術分野】
【０００１】
技術分野
本発明は、ドーム型振動板と、ボイスコイルと、磁石とを備えるドーム型スピーカーに関する。
【０００２】
従来技術
スピーカーは、振動板が振動することによって、空気中に伝播する音波を形成する。振動板は、とりわけスピーカーのサイズ、ならびに形成すべき音圧に応じて種々異なる形状を有することができる。ドーム型振動板、すなわち球状の表面からなる部材の利点は、球形であるから比較的剛性があり、しかも形成すべき音波の放射角度が大きいことである。もっとも、例えばプラスチック、布地、または金属からなるこのようなドーム型振動板のサイズを、任意に大きくすることはできない。なぜなら、振動板の質量が是認できる場合でも、振動板の剛性は任意に大きくすることができないからである。
【０００３】
振動板を振動させるために磁石が使用され、高級なスピーカーの場合はとりわけリング形磁石が使用される。リング形磁石によって磁界が形成され、この磁界は電流が流れているボイスコイルとの相互作用によって振動板の本来の動きを引き起こす。音量ないし音圧、および形成される音波の周波数は、電流の流れに応じて形成される。
【０００４】
ここでの不利な点は、ドーム型スピーカーの自己共振周波数が、特に例えば自動車の音響装置に使用されるようなコンパクトなスピーカーの場合には、この音響装置の可聴の中音域にあることが多いため、望まれない音響障害が生じてしまうことである。
【０００５】
このような従来技術から出発する本発明の課題は、構造がコンパクトであるにもかかわらず音質が改善された、冒頭に述べた形式のドーム型スピーカーを提供することである。
【０００６】
この課題は、請求項１記載の特徴的構成によって解決される。
【０００７】
本発明の核となる技術発想は、一方では、ボイスコイルと相互作用する磁石として、リング形磁石ではなく円盤形磁石を使用することであり、他方では、ドーム型の振動板を内部領域と外部領域とに分けることである。円盤形磁石はボイスコイルを取り囲むリング形磁石よりも直径が小さいから、構造をコンパクトにすることができる。ドーム型振動板の内部領域は従来のドーム型振動板として機能し、ドーム型振動板の外部領域はリングラジエータならびにエッジとして機能する。すなわちドーム型振動板の外部領域は、金属またはプラスチックからなるスピーカーフレームと振動板の内部領域との間の連結部として機能するのである。内部領域と外部領域における２つの有効な容積により、共振領域における伝達特性を改善するようなより複雑なインピーダンスの経過を実現することができる。
【０００８】
本発明の利点は、リングラジエータとして機能する外部領域によって、スピーカーの全方向特性が、例えばコーン形の振動板を備える従来のスピーカーよりも改善されることである。内部領域と外部領域の境界部を振動板が配置されているコイル支持体によって形成し、振動板を固定することによって、部分共振が低減する。したがって、スピーカーないし振動板の効果的な音響平面がとりわけ高周波数に拡大する。さらに振動板の変形によるエネルギーの熱変換がより少なくなるから、効率が上昇する。
【０００９】
本発明の有利な実施形態は、それぞれ従属請求項に示されている。
【００１０】
とりわけ請求項２によれば、円盤形磁石としてネオジム磁石が使用される。相応する磁性原料は当業者には公知である。このような磁石は、磁石のサイズが小さくても磁力が強いことを特徴としている。
【００１１】
音質を改善するために、請求項３の特徴部分に示すように、円盤形磁石と磁気コイルとの間の空隙に磁性流体が流し込まれている。磁性流体の粘性に応じてボイスコイルは減衰するが、このことは本スピーカー構造によれば、伝達領域での減衰にはさほど影響を及ぼさない。なぜなら上記記載の手段により、自己共振周波数をより低くすることができるからである。さらに１次ハイパスフィルタによれば、調整された伝達領域において、自己共振数周波数が高められ過ぎることがより少なくなる。このことにより音響特性がクリアになり、負荷がかかる場合でも温度が低くなる。
【００１２】
内部領域と外部領域の空気を交換するために、請求項４によれば、コイル支持ネックに孔が空けられている。例えばスピーカーを自動車の計器板に取り付けるために定められている所定の寸法に基づいて、このコイル支持ネックにある複数の孔部または孔部グループを介して、ドーム型振動板の内部領域の下にある内部容積とドーム型振動板の外部領域の下にある外部容積との間で所期のように通風を行うことができる。このような換気によって、自己共振周波数を実質的により低くすることができる。より低くなった自己共振周波数は、とりわけハイパスフィルタをかけた場合、もはや音響特性に影響を与えない。とりわけ自動車では、使用される複数のハイパスフィルタは、コスト的に有利なただ１つのコンデンサによって形成されているから、このようなスピーカーによって、格段に音質改善することができる。
【００１３】
請求項５において、ドーム型振動板の外部領域にアタッチメントを設けることが提案されている。このアタッチメントは、例えばスピーカーの外観を改善するためのアタッチメントとすることができる。基本的にこの外部領域を、ドアまたは計器板のパネルに組み込むこともでき、これによれば、取り付けスペースが小さくても、音響が所期のように調整されたドーム型スピーカーの作動容積を得ることができる。
【００１４】
とりわけこの音響が所期のように調整されたドーム型スピーカーは、請求項６によれば、付加的な支持プレートおよび／またはキャップ（Kappe）および／または外部の成形部材を設けることにより得られる。有利には、ドーム型スピーカーの外部領域には、閉じられた支持プレートおよび／またはキャップが設けられている。さらにこの外部領域は、音響パラメータを決定づける内部容積を所期のように形成するための任意の成形部材が接続されている。
【００１５】
図の簡単な説明
本発明の実施形態を、以下図に基づいて詳細に説明する。
図１は、ドーム型スピーカーの概略図を示す。
図２から５は、このドーム型スピーカーの別の実施形態を示す。
【００１６】
図１には、ドーム型スピーカー１００が示されている。このドーム型スピーカーはドーム型振動板１０を有しており、このドーム型振動板は、当業者には既知である適当な材料からなる。ドーム型振動板１０は、音波を形成するために、ボイスコイル１２によって振動させられる。このためにこのボイスコイル１２は、円盤形磁石１１、とりわけネオジム磁石と相互作用する。この円盤形磁石の外部寸法は、このボイスコイル１２を取り囲むリング形磁石よりも実質的に小さくなるよう選択される。
【００１７】
さらにドーム型振動板１０は、内部領域１３と外部領域１４とに分けることができる。つまり、ドーム型振動板１０を下から支持するコイル支持ネック１５によって分けることができる。
【００１８】
ドーム型スピーカー１００の音質を改善するために、このコイル支持ネック１５には、孔部１６ないし種々異なる孔が設けられており、ドーム型振動板１０の内部領域１３の下にある内部容積と、ドーム型振動板１０の外部領域１４の下にある外部容積との間で換気が行われる。
【００１９】
外部領域１４は、リングラジエータおよびエッジとして機能する。これにより全方向特性は、従来のスピーカーに比べて格段に改善される。ドーム型振動板１０の内部領域１３は、実質的に通常のドーム型スピーカーとして機能する。
【００２０】
さらに従来の方法により、ボイスコイル１２と円盤形磁石１１との間の空隙１７に磁性流体を流し込むこともできる。
【００２１】
内部容積を音響的に調整するために、択一的に、図２から図５に示すように、このドーム型スピーカー１００のための支持プレート１８、キャップ１９、または任意の外部の成型部材２０を、とりわけこのドーム型スピーカーの外部領域１４に設けることができる。
【図面の簡単な説明】
【００２２】
【図１】図１は、ドーム型スピーカーの概略図を示す。
【図２】図２は、ドーム型スピーカーの別の実施形態を示す。
【図３】図３は、ドーム型スピーカーの別の実施形態を示す。
【図４】図４は、ドーム型スピーカーの別の実施形態を示す。
【図５】図５は、ドーム型スピーカーの別の実施形態を示す。
【図１】
2009536481.tif 000003
【図２】
2009536481.tif 000004
【図３】
2009536481.tif 000005
【図４】
2009536481.tif 000006
【図５】
2009536481.tif 000007
【国際調査報告】
2009536481.tif 000008
2009536481.tif 000009
2009536481.tif 000010
2009536481.tif 000011